(57)【要約】      （修正有）【課題】荒天時でも破損を防止でき、比較的容易に、かつ安全に施工することができる水中コンクリート工事用型枠ブロックを提供する。【解決手段】直方体形状のコンクリート製の本体１２を備え、本体の頂面中央に、長さ方向に延びた凸部１２ａが設けられ、本体の底面中央に、凸部と補足し合う形状を有し、長さ方向に延びた凹部１２ｂが設けられており、本体の頂面には、複数個のワイヤー吊り金具部１２ｃが設けられ、本体の各稜線には、アングル材１４が取り付けられている。本体側面の一つに、打設コンクリートの付着を回避するための木製の側板１６が取り付けられているのが好ましい。【選択図】図１
0003196942.tif 000002
【実用新案登録請求の範囲】
【請求項１】
直方体形状のコンクリート製の本体を備え、
前記本体の頂面の中央に、長さ方向に延びた凸部が設けられ、前記本体の底面の中央に、前記凸部と補足し合う形状を有し、長さ方向に延びた凹部が設けられており、
前記本体の頂面に、複数個のワイヤー吊り金具部が設けられ、
前記本体の各稜線に、アングル材が取り付けられている、
ことを特徴とする水中コンクリート工事用型枠ブロック。
【請求項２】
前記本体の側面の１つに、木製の側板が取り付けられていることを特徴とする請求項１に記載された水中コンクリート工事用型枠ブロック。
【考案の詳細な説明】
【技術分野】
【０００１】
本考案は一般に、水中コンクリート工事に用いる型枠ブロックに関する。より詳細には、本考案は、荒天時や狭隘箇所でも施工することができる水中コンクリート工事用型枠ブロックに関する。
【背景技術】
【０００２】
港湾・漁港には、堤体（防波堤・岸壁など）をはじめとして種々の施設が設けられているが、地震や老朽化等により破損したり設計基準が改訂されたりした場合には、これらの施設を補修する必要がある。
【０００３】
従来、既設堤体を補修する場合には、鋼製型枠が使用されていた。すなわち、図７に示されるように、既設堤体から所定間隔Ｗだけ離れた箇所に鋼製型枠を設置し、既設堤体と鋼製型枠とをセパレータで連結した後、既設堤体と鋼製型枠との間の空間にコンクリートを打設することによって堤体を拡幅させ、これにより破損箇所を修復したり改訂された設計基準に適合するようにしていた。
【考案の概要】
【考案が解決しようとする課題】
【０００４】
しかしながら、鋼製型枠を使用する従来の施工法では、荒天時に鋼製型枠が波を受け既設堤体にぶつかって破損することがあるという課題がある。また、既設堤体と鋼製型枠とをセパレータで連結するため、潜水士が既設堤体と鋼製型枠との間の空間に入り込まなければならないが、間隔Ｗが1.5ｍ以下の場合には、潜水士の作業が困難であるという課題もある。さらに、鋼製型枠は比較的幅狭であるため、打設足場が狭くなり、作業中に事故を誘発するおそれがあるという課題もある。
【０００５】
本考案は、このような状況に鑑みて開発されたものであって、荒天時でも施工することができる等の新規な特徴を有する水中コンクリート工事用型枠ブロックを提供することを目的としている。
【課題を解決するための手段】
【０００６】
本願請求項１に記載された水中コンクリート工事用型枠ブロックは、直方体形状のコンクリート製の本体を備え、前記本体の頂面の中央に、長さ方向に延びた凸部が設けられ、前記本体の底面の中央に、前記凸部と補足し合う形状を有し、長さ方向に延びた凹部が設けられており、前記本体の頂面に、複数個のワイヤー吊り金具部が設けられ、前記本体の各稜線に、アングル材が取り付けられている、
ことを特徴とするものである。
【０００７】
本願請求項２に記載された水中コンクリート工事用型枠ブロックは、前記請求項１の型枠ブロックにおいて、前記本体の側面の１つに、木製の側板が取り付けられていることを特徴とするものである。
【考案の効果】
【０００８】
本考案の水中コンクリート工事用型枠ブロックを用いれば、鋼製型枠のように既設堤体にぶつかって破損することがないので、多少の荒天時でも施工（型枠の設置や水中コンクリートの打設）が可能である。また、本考案の水中コンクリート工事用型枠ブロックでは、セパレータを使用しないので、既設堤体と型枠との間の空間が1.5ｍ以下の幅狭の場合であっても、潜水士の作業による作業が可能であるとともに、型枠の設置後ただちにコンクリートを打設することができ、工期の短縮を図ることができる。さらに、本考案の水中コンクリート工事用型枠ブロックは、鋼製型枠と比較して幅広であり打設足場を広くとることができるため、事故防止の観点からも有利である。
【図面の簡単な説明】
【０００９】
【図１】本考案の好ましい実施の形態に係る水中コンクリート工事用型枠ブロックの斜視図である。
【図２】図１の水中コンクリート工事用型枠ブロックにおいて、ブロックを明瞭に示すため、側板を取り外し、アングル材の一部を切り欠いて示した斜視図である。
【図３】図３（ａ）は図１の水中コンクリート工事用型枠ブロックの平面図、図３（ｂ）は図３（ａ）の線３ｂ―３ｂに沿って見た図、図３（ｃ）は図３（ａ）の線３ｃ―３ｃに沿って見た図、図３（ｄ）は図３（ａ）の線３ｄ―３ｄに沿って見た拡大断面図である。
【図４】本考案の水中コンクリート工事用型枠ブロックを使用した水中コンクリート工事の一連の手順を示した図である。
【図５】本考案の水中コンクリート工事用型枠ブロックを使用した水中コンクリート工事を示した平面図である。
【図６】本考案の水中コンクリート工事用型枠ブロックを使用した水中コンクリート工事を示した側面図である。
【図７】従来の鋼製型枠を使用した水中コンクリート工事を示した側面図である。
【考案を実施するための形態】
【００１０】
次に図面を参照して、本考案の好ましい実施の形態について詳細に説明する。図１において全体として参照符号１０で示される本考案の好ましい実施の形態に係る水中コンクリート工事用型枠ブロック（以下、単に「型枠ブロック」という）は、直方体形状のコンクリート製の本体１２を備えている。
【００１１】
本体１２の頂面の中央には、長さ方向に延びた凸部１２ａが設けられ、本体１２の底面の中央には、長さ方向に延びた凹部１２ｂが設けられている。凸部１２ａと凹部１２ｂは、互いに補足し合う形状を有しており、１つの型枠ブロック１０の上に別の型枠ブロック１０を積み重ねると、下に位置する型枠ブロック１０の頂面の凸部１２ａに、上に位置する型枠ブロック１０の底面の凹部１２ｂが嵌まり込み、型枠ブロック１０同士がずれないようになっている。
【００１２】
また、本体１２の頂面には、複数個（図１では４個）のワイヤー吊り金具部１２ｃが設けられている。ワイヤー吊り金具部１２ｃは、型枠ブロック１０を移動させる際にワイヤーで吊る部分となる。ワイヤー吊り金具部１２ｃは、図３（ｄ）に示されるように、本体１２の頂面に設けられた凹部に鋼製バー１２ｃ１を埋め込むことによって形成されている。
【００１３】
さらに、本体１２の各稜線には、アングル材（等辺山型鋼）１４が取り付けられている。アングル材１４により、本体１２の稜線部分が破損するのが防止される。
【００１４】
好ましくは、本体１２の側面の１つには、木製の側板１６が取り付けられている。側板１６が取り付けられている側が、打設されるコンクリートが接する面となるようにすることにより、型枠ブロック１０にコンクリートが付着するのを回避することができる。側板１６は、本体１２の側面に配置された側板取付材１２ｄにビスなどで固定することによって取り付けられている。
【００１５】
次に図４〜図６を参照して、既設堤体の脇に拡張部分を施工する場合を例にとり、上述のように構成された型枠ブロック１０を使用した水中コンクリート工事について説明する。まず最初に地上で型枠ブロック１０を製作する（図４（ａ）参照）。次いで、クレーンを用いて、海中の所定箇所に型枠ブロック１０を設置する（図４（ｂ）、（ｃ）、（ｄ）参照）。その際、コンクリートが打設される側に側板１６が位置するように型枠ブロック１０を設置する。なお、打設したコンクリートが基礎捨石に漏洩しないように、既設堤体と型枠ブロック１０との間の箇所の底部に、漏洩防止用の布材１８を設置するのが好ましい。次いで、水中に分離しないように注意しつつ、コンクリートを打設する（図４（ｅ）、（ｆ）参照）。コンクリートが硬化した後、型枠ブロック１０を取り外す（図４（ｇ）参照）。図４に示す例では、３個の型枠ブロック１０が積み重ねたケースが示されているが、拡張部分の規模に応じて、１個の型枠ブロック１０で足りるケースもあるし、４個以上の型枠ブロック１０を積み重ねるケースもある。
【００１６】
図５は、水中コンクリート工事の施工例を示した平面図である。図５（ａ）では、既設堤体の脇に拡張部分Ａを施工するケースが示されており、拡張部分Ａの三面に型枠ブロック１０が設置されている。図５（ｂ）では、拡張部分Ａが施工された後、拡張部分Ａに隣接する拡張部分Ｂを施工するケースが示されている。図５（ｂ）に示されるように、拡張部分Ａの施工に使用された型枠ブロック１０を拡張部分Ｂの施工箇所に移動させることにより、同様にして、拡張部分Ｂを施工することができる。
【００１７】
図６は、水中コンクリート工事の施工例を示した側面図である。既設堤体と型枠ブロック１０との間の空間が拡張部分となるが、打設されるコンクリートと既設堤体とを一体化させるため、既設堤体に差筋をした後、コンクリートを打設するのが望ましい。
【００１８】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１９】
たとえば、添付図面に示されている本体１２の縦横比、ワイヤー吊り金具部１２ｃの個数や設置箇所、側板１６の取付方法などは、単なる例示的なものにすぎず、図示されている形態に限定されるものではない。
【符号の説明】
【００２０】
１０  水中コンクリート工事用型枠ブロック
１２  本体
１２ａ  凸部
１２ｂ  凹部
１２ｃ  ワイヤー吊り金具部
１２ｄ  側板取付材
１４  アングル材
１６  側板
１８  布材
【図１】
0003196942.tif 000003
【図２】
0003196942.tif 000004
【図３】
0003196942.tif 000005
【図４】
0003196942.tif 000006
【図５】
0003196942.tif 000007
【図６】
0003196942.tif 000008
【図７】
0003196942.tif 000009